(57)【要約】【課題】  原稿の種類に応じたイメージ読取り処理を行えることができるようにする。【解決手段】  イメージ読取装置（１）は、原稿に光を照射してその原稿の反射光を受光体に受光させるための反射光源（１３）と、原稿に光を照射してその原稿の透過光を前記受光体に受光させるための光源であって、ポジの読み取りのためのポジ光源（１５）と、原稿に光を照射してその原稿の透過光を前記受光体に受光させるための光源であって、ネガの読取りのためのネガ光源（１７）と、前記原稿の種類に応じて、前記反射原稿、前記ポジ原稿及び前記特殊原稿を選択的に使用して読取り処理を実行する制御手段（３１）とを備える。【選択図】        図４
2005086269.tif 000002
【特許請求の範囲】
【請求項１】
原稿に光を照射してその原稿の反射光を受光体に受光させるための反射光源と、
原稿に光を照射してその原稿の透過光を前記受光体に受光させるための光源であって、ポジの読み取りのためのポジ光源と、
原稿に光を照射してその原稿の透過光を前記受光体に受光させるための光源であって、ネガの読取のためのネガ光源と、
前記原稿の種類に応じて、前記反射光源、前記ポジ光源及び前記ネガ光源を選択的に使用して読取り処理を実行する制御手段と
を備えるイメージ読取装置。
【請求項２】
前記受光体は、受けた光の光量に応じた電荷を蓄積し出力するイメージセンサであり、
前記ネガ光源は、ＲＧＢ成分比率が不均等な光を発する光源であり、
前記制御手段は、前記ネガ光源が発する光の前記ＲＧＢ成分比率に基づいて、前記イメージセンサにおいて電荷を蓄積する時間長を調節する、
請求項１記載のイメージ読取装置。
【請求項３】
前記制御手段は、前記原稿の反射光を利用する読取り処理を行う場合、前記原稿の読取イメージデータの画質よりも、前記読取り処理の速度を優先するための制御を行う、
請求項１記載のイメージ読取装置。
【請求項４】
前記受光体は、受けた光の光量に応じた電荷を蓄積し出力するイメージセンサであり、
所定のゲインに基づいて前記イメージセンサの出力を増幅する増幅手段を備え、
前記制御手段は、前記イメージセンサでの読取りに関する読取り時間長を一定にし、前記増幅手段の前記ゲインを調節する、
請求項３記載のイメージ読取装置。
【請求項５】
前記制御手段は、前記原稿の透過光を利用する読取り処理を行う場合、前記読取り処理の速度よりも、前記原稿の読取イメージデータの画質を優先するための制御を行う、
請求項１記載のイメージ読取装置。
【請求項６】
前記受光体は、受けた光の光量に応じた電荷を蓄積し出力するイメージセンサであり、
所定のゲインに基づいて前記イメージセンサの出力を増幅する増幅手段を備え、
前記制御手段は、前記増幅手段の前記ゲインを一定にし、前記イメージセンサでの読取りに関する読取り時間長を調節する、
請求項５記載のイメージ読取装置。
【請求項７】
光源からの光の反射光又は透過光を前記受光体が受けることができるように前記原稿がセットされた原稿ホルダの挿入を受けるホルダ挿入部と、
前記ホルダ挿入部に挿入された前記原稿ホルダを所定の方向に搬送する搬送手段と
を備え、前記搬送手段による前記原稿ホルダの搬送に伴って、前記受光体が前記原稿の反射光又は透過光を受けるようになっている、
請求項１記載のイメージ読取装置。
【請求項８】
前記制御手段は、前記原稿ホルダの所定部分を反射した光を受けた前記イメージセンサから前記増幅手段を介して信号を受け、前記受けた信号に関する値に基づいて、前記増幅手段の前記ゲインを調節する、
請求項４及び７記載のイメージ読取装置。
【請求項９】
前記制御手段は、前記原稿ホルダの所定部分を透過した光を受けた前記イメージセンサから前記増幅手段を介して信号を受け、前記受けた信号に関する値に基づいて、前記イメージセンサでの前記読取り時間長を調節する、
請求項６及び７記載のイメージ読取装置。
【請求項１０】
原稿に光を照射してその原稿の反射光を受光体に受光させるための反射光源と、
原稿に光を照射してその原稿の透過光を前記受光体に受光させるための光源であって、ポジの読み取りのためのポジ光源と、
原稿に光を照射してその原稿の反射光又は透過光を前記受光体に受光させるための光源であって、ネガの読取りのためのネガ光源と
を、前記原稿の種類に応じて選択するステップと、
前記選択された光源を使用して読取り処理を実行するステップと
を有するイメージ読取方法。
【発明の詳細な説明】
【技術分野】
【０００１】
本発明は、原稿のイメージを読取るための技術に関する。
【背景技術】
【０００２】
従来、原稿に光を照射してその原稿の反射光を得るために使用されるランプ（以下、「反射ランプ」と言う）と、原稿に光を照射してその原稿の透過光を得るために使用されるランプ（以下、「透過ランプ」と言う）との２つのランプを搭載することができるイメージ読取装置が知られている。
【０００３】
【特許文献１】特開平０９−０５５８３０号公報
【発明の開示】
【発明が解決しようとする課題】
【０００４】
透過ランプが使用される場合の読取り対象原稿として、例えば、３５ｍｍフィルムやブローニーフィルム等の写真フィルムが考えられる。写真フィルムには、ネガフィルムとポジフィルムの２種類がある。
【０００５】
このため、写真フィルムを、上述した従来のイメージ読取装置を用いて読取る場合、その写真フィルムがネガフィルムであるかポジフィルムであるかに関わらず、同一の透過ランプが使用される。
【０００６】
しかし、ネガフィルムとポジフィルムは特性が異なるため、その読み取りの結果が必ずしも良好になるとは限らない。
【０００７】
このような問題点は、写真フィルム以外の原稿の読み取りの際にも存在し得る。
【０００８】
従って、本発明の目的は、原稿の種類に応じたイメージ読取り処理を行えることができるようにすることにある。
【課題を解決するための手段】
【０００９】
本発明に従うイメージ読取装置は、原稿に光を照射してその原稿の反射光を受光体に受光させるための反射光源と、原稿に光を照射してその原稿の透過光を前記受光体に受光させるための光源であって、ポジの読み取りのためのポジ光源と、原稿に光を照射してその原稿の透過光を前記受光体に受光させるための光源であって、ネガの読取りのためのネガ光源と、前記原稿の種類に応じて、前記反射原稿、前記ポジ原稿及び前記ネガ原稿を選択的に使用して読取り処理を実行する制御手段とを備える。
【００１０】
第１の好適な実施形態では、前記ネガ光源は、原稿に光を照射してその原稿の反射光又は透過光を前記受光体に受光させるための光源であって、特殊原稿の読取りのための特殊光源であっても良い。ここで、特殊光源とは、例えば、光のＲＧＢ成分比率が均等ではない光（つまりＲＧＢ成分比率が不均等である光）を発する光源であり、特殊原稿とは、例えば、そのような光を使用して読取るのに適した原稿である。
【００１１】
第２の好適な実施形態では、前記受光体は、受けた光の光量に応じた電荷を蓄積し出力するイメージセンサであり、前記ネガ光源は、ＲＧＢ成分比率が不均等な光を発する光源であり、前記制御手段は、前記ネガ光源が発する光の前記ＲＧＢ成分比率に基づいて、前記イメージセンサにおいて電荷を蓄積する時間長を調節する。具体的には、例えば、制御手段は、イメージセンサのＲＧＢ成分の電荷蓄積時間長の比を、特殊光源が発する光のＲＧＢ成分比率の逆数比になるように調節し、その後、その光のＲＧＢ成分比率のうち最も小さい値の色成分（つまり最も光量が小さい色成分）の光についての電荷蓄積時間長に、他の色成分の光についての電荷蓄積時間長を揃えるようにする。
【００１２】
第３の好適な実施形態では、前記制御手段は、前記原稿の反射光を利用する読取り処理を行う場合、前記原稿の読取イメージデータの画質よりも、前記読取り処理の速度を優先するための制御を行う。
【００１３】
第４の好適な実施形態では、第３の好適な実施形態において、前記受光体は、受けた光の光量に応じた電荷を蓄積し出力するイメージセンサであり、所定のゲインに基づいて前記イメージセンサの出力を増幅する増幅手段を備え、前記制御手段は、前記イメージセンサでの読取りに関する読取り時間長を一定にし、前記増幅手段の前記ゲインを調節する。
【００１４】
第５の好適な実施形態では、前記制御手段は、前記原稿の透過光を利用する読取り処理を行う場合、前記読取り処理の速度よりも、前記原稿の読取イメージデータの画質を優先するための制御を行う。
【００１５】
第６の好適な実施形態では、第５の好適な実施形態において、前記受光体は、受けた光の光量に応じた電荷を蓄積し出力するイメージセンサであり、所定のゲインに基づいて前記イメージセンサの出力を増幅する増幅手段を備え、前記制御手段は、前記増幅手段の前記ゲインを一定にし、前記イメージセンサでの読取りに関する読取り時間長を調節する。
【００１６】
第７の好適な実施形態では、イメージ読取装置は、光源からの光の反射光又は透過光を前記受光体が受けることができるように前記原稿がセットされた原稿ホルダの挿入を受けるホルダ挿入部と、前記ホルダ挿入部に挿入された前記原稿ホルダを所定の方向に搬送する搬送手段とを備え、前記搬送手段による前記原稿ホルダの搬送に伴って、前記受光体が前記原稿の反射光又は透過光を受けるようになっている。
【００１７】
第８の好適な実施形態では、第４及び第７の好適な実施形態において、前記制御手段は、前記原稿ホルダの所定部分を反射した光を受けた前記イメージセンサから前記増幅手段を介して信号を受け、前記受けた信号に関する値に基づいて、前記増幅手段の前記ゲインを調節する。ここで、「受けた信号に関する値」とは、例えば、制御手段に入力される信号値又はその信号に基づいて前記制御手段から出力される信号値である。
【００１８】
第９の好適な実施形態では、第６及び第７の好適な実施形態において、前記制御手段は、前記原稿ホルダの所定部分を透過した光を受けた前記イメージセンサから前記増幅手段を介して信号を受け、前記受けた信号に関する値に基づいて、前記イメージセンサでの前記読取り時間長を調節する。ここで、「受けた信号に関する値」とは、例えば、制御手段に入力される信号値又はその信号に基づいて前記制御手段から出力される信号値である。
【００１９】
本発明に従うイメージ読取装置は、イメージ読取り機能を有する装置であれば、複写装置等の多機能のイメージスキャナであっても良い。
【発明の効果】
【００２０】
本発明によれば、イメージ読取装置には、原稿に光を照射してその原稿の反射光を受光体に受光させるための反射光源と、原稿に光を照射してその原稿の透過光を受光体に受光させるための光源であって、ポジの読み取りのためのポジ光源と、原稿に光を照射してその原稿の透過光を前記受光体に受光させるための光源であって、ネガの読取りのためのネガ光源とが備えられており、原稿の種類に応じて、反射光源、ポジ光源及びネガ光源が選択的に使用されて読取り処理が実行される。これにより、原稿の種類に応じたイメージ読取り処理を行うことができる。
【発明を実施するための最良の形態】
【００２１】
本発明は、種々のイメージ読取装置に適用し得るが、以下、そのイメージ読取装置が、後述する「原稿ホルダ挿入タイプスキャナ」である場合を例に採り、図面を参照して本発明の一実施例を説明する。
【００２２】
図１は、本発明の一実施例に係る原稿ホルダ挿入タイプスキャナの概観を示す。
【００２３】
原稿ホルダ挿入タイプスキャナ（以下、単に「スキャナ」と言う）１は、原稿がイメージ読取り可能に搭載された原稿ホルダ１１の挿入を受け、その挿入された原稿ホルダ１１にある原稿のイメージを読取ることができるようになっている装置である。
【００２４】
このスキャナ１は、不揮発性のカード型メモリの挿入が可能なメモリカードスロット５と、スキャナ１に対し種々の命令（例えば原稿ホルダ１１の排出命令）等を行うための操作パネル（例えば液晶のタッチ式パネル））７と、原稿ホルダ１１の挿入が可能なホルダスロット９とが備えられている。また、このスキャナ１は、種々の外部装置３と所定の通信インターフェース（例えばＵＳＢ）を介して通信可能に接続することができるようになっている。
【００２５】
このスキャナ１において、原稿が搭載されている原稿ホルダ１１がホルダスロット９に挿入されると、その原稿ホルダ１１が、内部の図示しないホルダローディング機構によってホルダスロット９から奥へと案内され、その過程で、原稿ホルダ１１にイメージ読取り可能に搭載されている原稿の読取り処理が行われる。その読取り処理によって生成される原稿イメージデータは、スキャナ１に搭載されている図示しない読取りイメージ出力部によって出力される。その読取イメージ出力部は、例えば、以下の（１）〜（５）、
（１）スキャナ１に通信可能に接続されているパーソナルコンピュータ等のホスト装置に有線又は無線で原稿イメージデータを送信するデータ送信部、
（２）インターネット等の通信ネットワークを介してイメージスキャナ１に通信可能に接続されている遠隔の情報処理装置に原稿イメージデータを例えば電子メールで送信するデータ送信部、
（３）原稿イメージデータを公衆電話網を介してファクシミリで所定の又はユーザ所望の宛先に送信するファクシミリ送信部、
（４）イメージスキャナ１に着脱可能に装着された外部記憶装置（例えば、メモリカードスロット５に挿入されているカード型メモリ又は外付け式のハードディスク装置）に原稿イメージデータを格納するデータ格納部、
（５）原稿イメージデータを所定の印刷媒体（例えば普通紙又は光沢紙等）にインクジェット方式又は電子写真方式等により印刷する、又はその印刷ジョブデータを生成してプリンタに送信する印刷部、
のうちの少なくとも１つである。そのため、上記の外部装置３は、例えば、パーソナルコンピュータ等のホスト装置、プリンタ、インターネット等の通信ネットワークに接続されている遠隔の装置、ファクシミリ装置、又は外付け式のハードディスク装置である。
【００２６】
図２は、スキャナ１において行われるイメージ読取りの様子を示す。なお、以下の説明では、適宜、透過率よりも反射率の方が高い原稿（例えば紙やハガキ等）を「反射原稿」と言い、逆に、反射率よりも透過率の方が高い原稿（例えば、３５ｍｍフィルムやブローニーフィルム等の写真フィルム）を「透過原稿」と言う。
【００２７】
スキャナ１には、第１〜第３の光源が用意される。
【００２８】
第１の光源は、原稿に光を照射してその原稿の反射光をリニアＣＣＤ１９等の受光体（例えばイメージセンサ或いは感光体）に受光させるためのランプ１３である。このランプ１３は、反射原稿を読取る場合に使用されるものであり、それ故、以下、このランプを「反射ランプ」と称する。この反射ランプ１３が発する光に含まれるＲＧＢ成分の比率は、例えば、およそ、Ｒ：Ｇ：Ｂ＝１：１：１となっている。
【００２９】
第２の光源は、原稿に光を照射してその原稿の透過光をリニアＣＣＤ１９等の受光体（例えばイメージセンサ或いは感光体）に受光させるためのランプ１５である。このランプ１５は、３５ｍｍフィルム或いはブローニーフィルム等の写真フィルムのうちのポジフィルムを読取る場合に使用されるポジフィルム専用のものである。そのため、以下、このランプを「ポジランプ」と称する。このポジランプ１５が発する光に含まれるＲＧＢ成分の比率は、例えば、およそ、Ｒ：Ｇ：Ｂ＝１：１：１となっている。
【００３０】
第３の光源は、ポジランプ１５と同様に、原稿に光を照射してその原稿の透過光をリニアＣＣＤ１９等の受光体（例えばイメージセンサ或いは感光体）に受光させるためのランプ１７である。しかし、このランプ１７は、写真フィルムのうちのネガフィルムを読取る場合に使用されるネガフィルム専用のものである。そのため、以下、このランプを「ネガランプ」と称する。このネガランプ１７が発する光に含まれるＲＧＢ成分の比率は、例えば、およそ、Ｒ：Ｇ：Ｂ＝１：２：３となっている。従って、ネガランプ１７が発する光は、反射ランプ１３やポジランプ１５に比べると青白い光となる。
【００３１】
反射ランプ１３、ポジランプ１５、及びネガランプ１７は、所定種類のランプ（例えば、蛍光水銀ランプ、チョークレス水源ランプ等の水銀ランプ）であるが、全てのランプ１３〜１７が同じ種類のランプであっても良いし異なる種類のランプであっても良い。
【００３２】
原稿をイメージ読取り可能に搭載している原稿ホルダ１１がスキャナ１に挿入されると、図示しないホルダローディング機構（例えば、原稿ホルダ１１を搬送するためのベルトやそのベルトを動かすためのモータ等を含む機構）によって、原稿ホルダ１１が、ホルダスロット９から奥へと取り込まれる。この原稿ホルダ１１には、複数種類、例えば、図３に示すように、反射用ホルダ１１Ａと、透過用ホルダ１１Ｂとの２種類ある。
【００３３】
反射用ホルダ１１Ａは、反射原稿がセットされるホルダであり、反射ランプ１３からの光を受ける照射領域１２Ａと、原稿読み取り領域１４Ａとを有している。照射領域１２Ａには、後述するＡＦＥ（アナログ・フロント・エンド）の属性（例えばゲイン）の調整処理のために使用される白基準シートが備えられている。原稿読取り領域１４Ａには、セットされた反射原稿が受光可能な状態で表れるようになっており、この状態で、紙面表方向から反射原稿に反射ランプ１３が発した光が照射されると、その光が反射原稿によって反射され、それの反射光が反射原稿から紙面表方向に照射されることとなる。
【００３４】
透過用ホルダ１１Ｂは、透過原稿（例えばポジフィルム及びネガフィルムの少なくとも一方）がセットされるホルダであり、ポジランプ１５又はネガランプ１７からの光を受ける照射領域１２Ｂと、原稿読み取り領域１４Ｂとを有している。照射領域１２Ｂは、光を透過する窓（例えば、単に打ち抜かれた状態でも良いし、そこに透過率の高い板が張られたものでも良い）になっており、リニアＣＣＤ１９の制御のために使用される領域である。原稿読取り領域１４Ｂには、セットされた１又は複数の透過原稿（例えばローディング方向に長い写真フィルム）が受光可能な状態で表れるようになっており、この状態で、紙面表方向から透過原稿にポジランプ１５又はネガランプ１７が発した光が照射されると、その光が透過原稿を透過し、それの透過光が透過原稿から紙面裏方向に照射されることとなる。
【００３５】
図４は、スキャナ１内部の構成を示すブロック図である。
【００３６】
スキャナ１には、リニアＣＣＤ１９からの出力をデジタル信号に変換して出力するＡＦＥ（アナログ・フロント・エンド）３５と、ＡＦＥ３５から出力されたデジタル信号を受けて図示しないイメージメモリ（例えばＲＡＭ）に出力してそのメモリに原稿イメージデータを蓄積するＡＳＩＣ３１等の読取り制御回路とが備えられている。また、スキャナ１には、商用電源からの電力を所定の構成要素（例えばＡＳＩＣ３１）に供給する電源回路３０と、電源回路３０から光源１３〜１７及びＣＣＤ１９へ供給される電力を制御する電源制御回路３６とが備えられている。
【００３７】
ＡＳＩＣ３１には、種々の要素、例えば、クロックジェネレータ３４と、メイン制御部（例えばＣＰＵ）３３とが備えられている。クロックジェネレータ３４は、所定のシフトパルスを生成してリニアＣＣＤ１９に入力し、それによって、リニアＣＣＤ１９において、電荷の蓄積の開始及び終了や、蓄積された電荷の転送の開始及び終了が行われる。メイン制御部３３は、スキャナ１の種々の処理の制御、例えば、電源制御回路３６をして、反射ランプ１３、ポジランプ１５、ネガランプ１７及びリニアＣＣＤ１９への電源のオン／オフを制御せしめたり、クロックジェネレータ３４をして、シフトパルスをリニアＣＣＤ１９に送信するタイミングを制御せしめたり、図示しないホルダローディング機構をして、原稿ホルダ１１の位置や搬送速度を制御せしめたりする。
【００３８】
以下、ＡＳＩＣ３１が行う制御の流れについて詳細に説明する。なお、以下の説明では、スキャナ１に対する命令は、所定のユーザインターフェース（例えば、操作パネル７、又は、スキャナ１に接続されている外部装置３のディスプレイ画面に表示されているＧＵＩ、以下、「ＧＵＩ」と総称する）を用いてユーザが行った操作内容に対応したものとする。
【００３９】
図５は、スキャナ１の電源が投入された時のＡＳＩＣ３１の動作フローを示す。
【００４０】
スキャナ１の電源が投入されると（又は、所定のエラー状態からのリセット処理が行われると）、ＡＳＩＣ３１は、以下の（Ａ−１）ステップを行う。
【００４１】
（Ａ−１）ステップ
ＡＳＩＣ３１は、電源制御回路３６を制御して、図６に示すように、反射ランプ１３の通電時間（例えば０．３３秒間）、ポジランプ１５の通電時間（例えば０．３３秒間）、ネガランプ１７の通電時間（例えば０．３３秒間）を順次に切り替えていくようにデューティ点灯を行う。換言すれば、ＡＳＩＣ３１は、ランプ１３、１５及び１７の各々のオン／オフを適時に切り替える。図６の例では、１サイクルの時間は約１秒であり、各ランプ１３、１５及び１７のデューティ比（電源ＯＮ状態時間と電源ＯＦＦ状態時間の比）は、１：２である。
【００４２】
以上が、図５の（Ａ−１）ステップでの動作である。
【００４３】
なお、このようにデューティ点灯を行うことは、以下のような効果がある。
【００４４】
すなわち、反射ランプ１３、ポジランプ１５及びネガランプ１７の各々は、それの電源をターンオンしても直ちにそれの光量が安定するわけではなく、それの電源がターンオンしてから光量が安定するまでのウォームアップに一定時間（例えば約１分間）かかる。そのため、原稿の読み取り開始直前にウォームアップを開始すると、実際に読取り可能な程度に光量が安定するまで時間がかかり、結果として、読取りに要する時間が長くなってしまう。だからと言って、スキャナ１の電源が投入されてから、原稿ホルダ１１Ａ又は１１Ｂが挿入されそれの読取り処理が開始されるまでの間中、ランプ１３、１５及び１７の電源をオン状態にし続けると、電力の消費量が無駄に多くなる。
【００４５】
そこで、本実施例のように、ＡＳＩＣ３１が、スキャナ１の電源が投入されてから、原則として少なくとも原稿ホルダ１１Ａ又は１１Ｂのローディングが開始されるまでの間、上述したようなデューティ点灯を行い続けることで、実際に読取り処理を開始するためのランプ１３、１５及び１７のウォームアップ時間をそれぞれ短縮することができ、且つ、電力の消費量も抑えることができる。
【００４６】
さて、原稿ホルダ１１Ａ又は１１Ｂが挿入されたことを検出するためのセンサがスキャナ１に備えられていて、スキャナ１に原稿ホルダ１１Ａ又は１１Ｂが挿入されると、ＡＳＩＣ３１は、そのセンサからの信号に基づいて、原稿ホルダ１１Ａ又は１１Ｂの挿入を検出することができる。
【００４７】
ＡＳＩＣ３１は、原稿ホルダ１１Ａ又は１１Ｂの挿入が検出される前に、ユーザによるＧＵＩの操作等によって、読取り対象の原稿の種類（例えば、反射原稿、ポジフィルム及びネガフィルム）が選択された場合は、上述した（Ａ−１）ステップを維持する、つまり、デューティ点灯を行い続ける。
【００４８】
また、ＡＳＩＣ３１は、原稿ホルダ１１がスキャナ１に挿入されたことを検出したときは、以下の（Ａ−２）ステップを行う。さらに、ＡＳＩＣ３１は、デューティ点灯を開始してからの経過時間をカウントしており、所定イベント（例えば、原稿ホルダの挿入又は排出命令）が検出されることなく、その経過時間が所定時間（例えば１４分間）を超えたときも、以下の（Ａ−２）ステップを行う。
【００４９】
（Ａ−２）ステップ
ＡＳＩＣ３１は、電源制御回路３６を制御して、全てのランプ１３、１５及び１７の電源をオフ状態にする。この状態のときに、ＡＳＩＣ３１は、挿入された原稿ホルダ１１Ａ又は１１Ｂのローディングを開始し、そのホルダの種類を識別してローディングを終了し、それと共に、原稿ホルダ１１Ａ又は１１Ｂを、ホームポジション（例えば、ランプ１３、１５又は１７が発した光がホルダの照射領域１２Ａ又は１２Ｂに当たる位置）に到達させ、その場所で、原稿ホルダ１１Ａ又は１１Ｂを待機状態にする。
【００５０】
以上が、（Ａ−２）ステップでの動作である。
【００５１】
全てのランプ１３、１５及び１７の電源がオフにされている状態は、原稿ホルダ１１Ａ又は１１Ｂのローディングが終了するまで維持される。原稿ホルダの種類の判別は、種々の方法で行うことができる。例えば、スキャナ１が原稿ホルダ１１の搬送路近傍に複数個のセンサ（例えばフォトカプラ）を備え、ＡＳＩＣ３１が、どのセンサからの信号に変化があったかを識別することにで、原稿ホルダの種類を判別することができる（この場合において、そのセンサが光センサであれば、例えば、原稿ホルダ１１Ａ及び１１Ｂの各々は、そのホルダの種類に基づくホルダ上の場所に、発光素子が発する光を透過してその光を受光素子が受光可能なように光透過用窓を有する）。また、ＡＳＩＣ３１は、ユーザからＧＵＩを介してホルダ種類の入力を受け、その入力された情報に基づいて、原稿ホルダの種類を判別することもできる。
【００５２】
全てのランプ１３、１５及び１７の電源がオフ状態のとき、ＡＳＩＣ３１が、挿入された原稿ホルダが透過用ホルダ１１Ｂであることを識別し、且つ、ユーザからＧＵＩを介してポジフィルム読取りが選択されていなければ、後述する（Ｂ−１）ステップを行う。
【００５３】
また、そのオフ状態のとき、ＡＳＩＣ３１が、挿入された原稿ホルダが透過用ホルダ１１Ｂであることを識別し、且つ、ユーザからＧＵＩを介してポジフィルム読取りが選択されていれば、後述する（Ｄ−１）ステップを行う。
【００５４】
また、そのオフ状態のとき、ＡＳＩＣ３１が、挿入された原稿ホルダが反射用ホルダ１１Ａであることを識別したならば、後述する（Ｆ−１）ステップを行う。
【００５５】
また、そのオフ状態のとき、スキャナ１へのアクセス（例えば、ＧＵＩの操作又は原稿ホルダの挿入或いは排出命令）が検出されたときは、ＡＳＩＣ３１は、上述した（Ａ−１）ステップを行う（つまりデューティ点灯を行う）。
【００５６】
図７は、ネガフィルム読取り時の動作遷移図である。この図を参照して、（Ｂ−１）ステップ等について説明する。
【００５７】
（Ｂ−１）ステップ
ＡＳＩＣ３１は、電源制御回路３６を制御して、ネガランプ１７のみの電源をターンオンしてネガランプ１７のみを点灯させ、他のランプ１３、１５の電源はオフ状態にする。具体的には、例えば、ＡＳＩＣ３１は、スキャナ１に挿入された原稿ホルダ１１Ａ又は１１Ｂのローディングの実行中は全てのランプ１３、１５及び１７の電源をオフ状態にするが（（Ａ−２）ステップ）、原稿ホルダが透過用ホルダ１１Ｂであることを識別してローディングが終了したとき、ユーザからＧＵＩを介してポジフィルム読取りが選択されていなければ、図８に示すように、ネガランプ１７のみの電源をターンオンしてネガランプ１７のみを点灯させ、他のランプ１３、１５の電源はオフ状態にする。透過用ホルダ１１Ｂが識別されてローディングが終了した時点では、ネガとポジのどちらの読取り処理を行うことになるのかは不明であるが、ポジランプ１５よりもネガランプ１７の方が光量が安定するまでに長時間を要する場合は、上記のようにポジランプ１５よりもネガランプ１７を先にターンオンすることにより、以後、ネガとポジのどちらの読取り処理を行うことになっても、迅速に読取り処理を開始することが可能である。
【００５８】
以上が、（Ｂ−１）ステップでの動作である。
【００５９】
なお、この状態において、ユーザがＧＵＩを操作してネガ読取りを選択する等によって、スキャナ１がネガ読取りコマンドを受信したときは、ＡＳＩＣ３１は、後述する（Ｃ−１）ステップを行う。
【００６０】
また、この状態において、ユーザがＧＵＩを操作してポジ読取りを選択する等によって、スキャナ１がポジ読取りコマンドを受信したときは、ＡＳＩＣ３１は、後述する（Ｄ−１）ステップを行う。その際、ＡＳＩＣ３１は、電源制御回路３６を制御して、ネガランプ１７の電源をターンオフしてネガランプ１７を消灯させる。
【００６１】
また、この状態において、挿入されている原稿ホルダがイジェクトされたときは（又はスキャナ１が原稿ホルダのイジェクト命令を受けたときは）、ＡＳＩＣ３１は、上述した（Ａ−１）ステップを行う（つまりデューティ点灯を行う）。
【００６２】
また、ＡＳＩＣ３１は、ネガランプ１７の電源をターンオンしたときは、その時点からの経過時間をカウントし、所定イベント（例えば上記コマンドの受信）が検出されることなくその経過時間が所定時間（例えば２０秒間）を越えたならば、以下の（Ｂ−２）ステップを行う。
【００６３】
（Ｂ−２）ステップ
ＡＳＩＣ３１は、電源制御回路３６を制御して、ネガランプ１７の点灯（つまりネガランプ１７の電源のオン状態）を継続して待機する。
【００６４】
以上が、（Ｂ−２）ステップでの動作である。
【００６５】
なお、この状態において、ユーザがＧＵＩを操作してネガ読取りを選択する等によって、スキャナ１がネガ読取りコマンドを受信したときは、ＡＳＩＣ３１は、後述する（Ｃ−２）ステップを行う。
【００６６】
また、この状態において、ユーザがＧＵＩを操作してポジ読取りを選択する等によって、スキャナ１がポジ読取りコマンドを受信したときは、ＡＳＩＣ３１は、後述する（Ｄ−１）ステップを行う。その際、ＡＳＩＣ３１は、電源制御回路３６を制御して、ネガランプ１７の電源をターンオフしてネガランプ１７を消灯させる。
【００６７】
また、この状態において、挿入されている原稿ホルダがイジェクトされたときは（又はスキャナ１が原稿ホルダのイジェクト命令を受けたときは）、ＡＳＩＣ３１は、上述した（Ａ−１）ステップを行う（つまりデューティ点灯を行う）。
【００６８】
また、この待機状態になってから、所定のイベント（例えば操作パネル７）が検出されることなく所定時間（例えば１４分間）が経過したら、ＡＳＩＣ３１は、以下の（Ｂ−３）ステップを行う。
【００６９】
（Ｂ−３）ステップ
ＡＳＩＣ３１は、電源制御回路３６を制御して、ネガランプ１７の電源をターンオフしネガランプ１７を消灯させる。
【００７０】
以上が、（Ｂ−３）ステップでの動作である。
【００７１】
なお、このようにネガランプ１７の電源がオフ状態のときにおいて、ユーザがＧＵＩを操作してポジ読取りを選択する等によって、スキャナ１がポジ読取りコマンドを受信したときは、ＡＳＩＣ３１は、後述する（Ｄ−１）ステップを行う。
【００７２】
また、この状態において、挿入されている原稿ホルダがイジェクトされたときは（又はスキャナ１が原稿ホルダのイジェクト命令を受けたときは）、ＡＳＩＣ３１は、上述した（Ａ−１）ステップを行う（つまりデューティ点灯を行う）。
【００７３】
また、この状態において、ユーザがＧＵＩを操作してネガ読取りを選択する等によって、スキャナ１がネガ読取りコマンドを受信したときは、ＡＳＩＣ３１は、以下の（Ｃ−１）ステップを行う。
【００７４】
（Ｃ−１）ステップ
この（Ｃ−１）ステップは、ネガランプ１７の電源がオフ状態からオン状態に切り替えられるとき、具体的には、例えば、反射ランプ１３の制御（Ｆ及びＧステップ）又はポジランプ１５の制御（Ｄ及びＥステップ）が行われている状態からネガランプ１７の制御を行うとき、又は、ネガランプ１７が待機（消灯）していた状態からネガランプ１７の制御を開始するときに行われる。
【００７５】
ＡＳＩＣ３１は、電源制御回路３６を制御し、ネガランプ１７の電源をターンオンしてネガランプ１７を点灯させることで、ネガランプ１７のウォームアップを行う。ＡＳＩＣ３１は、ネガランプ１７の光量が安定したことを検出した（又は、ネガランプ１７の電源をターンオンしてから所定時間（例えば２０秒）が経過した）時点で、ウォームアップが完了したものとして後述の（Ｃ−２）ステップを行う。
【００７６】
以上が、（Ｃ−１）ステップでの動作である。
【００７７】
なお、この（Ｃ−１）ステップにおいて、光量の安定の検出は、所定の条件が満たされたときに行われる。具体的には、例えば、図９に示すように、ＡＳＩＣ３１が、所定時間毎（例えば約１秒毎）に下式（１）、
変化比率＝１＋{（Ｐ１−Ｐ０）／Ｐ０}／Δｔ
≒Ｐ１／Ｐ０（Δｔが十分１秒に近い場合）・・・・（１）
で求められる変化比率（単位時間（例えば１秒）当たりの光量変化の比率）が所定範囲（例えば０．９９以上１．０１以下）であるか否かを判断し、その判断結果が肯定的であるときに、光量の安定が検出される。なお、この判断において、得られる光量の値は、リニアＣＣＤ１９に主走査方向（原稿ホルダと搬送方向と直行する方向）に沿って列になって並んでいる画素センサの出力に基づく値であるが、この判断では、その光量の値は、例えば、光量の立ち上がりが遅い主走査方向中央部分にある５０個の画素センサの出力の合計値である。
【００７８】
また、この（Ｃ−１）ステップにおいて、ネガランプ１７の電源をターンオンしてから（つまりネガランプ１７が点灯してから）所定時間（例えば２０秒間）が経過した時点でも、５０個の画素センサの出力値の平均（又は少なくとも１つの画素センサの出力値）が５０／２５５以下の場合は、ＡＳＩＣ３１は、後述する（Ｉ）ステップ、例えば、ネガランプ１７に関するエラーをユーザに報知する。
【００７９】
さて、次に（Ｃ−２）ステップの動作を説明する。
【００８０】
（Ｃ−２）ステップ
ＡＳＩＣ３１は、透過用ホルダ１１Ｂに実際にセットされている原稿の種類に関わらず、ネガのための読取り処理を行う。
【００８１】
具体的には、ＡＳＩＣ３１は、ネガランプ１７やリニアＣＣＤ１９のイニシャライズ、例えば、ＡＬＯＣ(Auto Lamp On Time Control)を行ってネガランプ１７の点灯時間（換言すれば、ネガランプ１７の電源をオン状態にし続ける時間）を決定する。次に、ＡＳＩＣ３１は、ネガランプ１７から透過用ホルダ１１Ｂの照射領域１２Ｂを透過した光を受けたリニアＣＣＤ１９の出力値に基づいて、リニアＣＣＤ１９における所定の処理時間長を制御する（詳細は後述する）。その後、ＡＳＩＣ３１は、ホルダローディング機構を制御して透過用ホルダ１１Ｂをローディング方向に搬送すると共に、それに伴ってリニアＣＣＤ１９からＡＦＥ３５を介してデジタルデータを受信し、それを図示しないイメージメモリに蓄積する。これにより、透過用ホルダ１１Ｂの搬送が終了すると、そのホルダ１１Ｂにセットされている原稿の読取イメージデータがイメージメモリに存在し、そのイメージデータは、所定のタイミングで、前述した読取りイメージ出力部に出力される。
【００８２】
以上が、（Ｃ−２）ステップである。
【００８３】
ＡＳＩＣ３１は、ネガの読取り処理の間は、ネガランプ１７の電源のオン状態を維持して、ネガランプ１７を点灯し続ける。そして、ＡＳＩＣ３１は、ネガの読取り処理が完了したら、原稿ホルダ１１Ｂをホームポジションに戻すと共に、上述した（Ｂ−２）ステップを実行する（なお、ＡＳＩＣ３１は、（Ｂ−２）ステップを行う代わりに、ネガランプ１７を消灯しても良いし、或いは、少なくともネガランプ１７をデューティ点灯しても良い）。
【００８４】
図１０は、ポジフィルム読取り時の動作遷移図である。この図を参照して、（Ｄ−１）ステップ等について説明する。
【００８５】
（Ｄ−１）ステップ
ＡＳＩＣ３１は、電源制御回路３６を制御して、ポジランプ１５のみの電源をターンオンしてポジランプ１５のみを点灯させ、他のランプ１３、１７の電源はオフ状態にする。
【００８６】
以上が、（Ｄ−１）ステップでの動作である。
【００８７】
ＡＳＩＣ３１は、（Ｂ−２）ステップ等においてスキャナ１がポジ読取りコマンドを受信することによりこの（Ｄ−１）ステップを行ったならば、その後、ポジランプ１５のウォームアップ処理（後述する（Ｅ−１）ステップ）を行う。一方、それ以外の原因によって（Ｄ−１）ステップを行ったときは、ＡＳＩＣ３１は、この（Ｄ−１）ステップでの状態において、スキャナ１がポジ読取りコマンドを受信したときも、ポジランプ１５のウォームアップ処理（後述する（Ｅ−１）ステップ）を行う。
【００８８】
また、この（Ｄ−１）ステップでの状態において、ユーザがＧＵＩを操作してネガ読取りを選択する等によって、スキャナ１がネガ読取りコマンドを受信したときは、ＡＳＩＣ３１は、前述した（Ｂ−１）ステップを行う。その際、ＡＳＩＣ３１は、電源制御回路３６を制御して、ポジランプ１５の電源をターンオフしてポジランプ１５を消灯させる。
【００８９】
また、この状態において、挿入されている原稿ホルダがイジェクトされたときは（又はスキャナ１が原稿ホルダのイジェクト命令を受けたときは）、ＡＳＩＣ３１は、上述した（Ａ−１）ステップを行う（つまりデューティ点灯を行う）。
【００９０】
また、ＡＳＩＣ３１は、ポジランプ１５の電源をターンオンしたときは、その時点からの経過時間をカウントし、所定イベント（例えば上記コマンドの受信）が検出されることなくその経過時間が所定時間（例えば２０秒間）を越えたならば、以下の（Ｄ−２）ステップを行う。
【００９１】
（Ｄ−２）ステップ
ＡＳＩＣ３１は、電源制御回路３６を制御して、ポジランプ１５の点灯（つまりポジランプ１５の電源のオン状態）を継続して待機する。
【００９２】
以上が、（Ｄ−２）ステップでの動作である。
【００９３】
なお、この状態において、スキャナ１がポジ読取りコマンドを受信したときは、ＡＳＩＣ３１は、後述する（Ｅ−２）ステップを行う。
【００９４】
また、この状態において、スキャナ１がネガ読取りコマンドを受信したときは、ＡＳＩＣ３１は、前述した（Ｂ−１）ステップを行う。その際、ＡＳＩＣ３１は、電源制御回路３６を制御して、ポジランプ１５の電源をターンオフしてポジランプ１５を消灯させる。
【００９５】
また、この状態において、挿入されている原稿ホルダがイジェクトされたときは（又はスキャナ１が原稿ホルダのイジェクト命令を受けたときは）、ＡＳＩＣ３１は、上述した（Ａ−１）ステップを行う（つまりデューティ点灯を行う）。
【００９６】
また、この待機状態になってから、所定のイベント（例えば操作パネル７）が検出されることなく所定時間（例えば１４分間）が経過したら、ＡＳＩＣ３１は、以下の（Ｄ−３）ステップを行う。
【００９７】
（Ｄ−３）ステップ
ＡＳＩＣ３１は、電源制御回路３６を制御して、ポジランプ１５の電源をターンオフしポジランプ１５を消灯させる。
【００９８】
以上が、（Ｄ−３）ステップでの動作である。
【００９９】
なお、このようにポジランプ１５の電源がオフ状態のときに、スキャナ１がネガ読取りコマンドを受信したときは、ＡＳＩＣ３１は、前述した（Ｂ−１）ステップを行う。
【０１００】
また、この状態において、挿入されている原稿ホルダがイジェクトされたときは（又はスキャナ１が原稿ホルダのイジェクト命令を受けたときは）、ＡＳＩＣ３１は、上述した（Ａ−１）ステップを行う（つまりデューティ点灯を行う）。
【０１０１】
また、この状態において、スキャナ１がポジ読取りコマンドを受信したときは、ＡＳＩＣ３１は、以下の（Ｅ−１）ステップを行う。
【０１０２】
（Ｅ−１）ステップ
ＡＳＩＣ３１は、電源制御回路３６を制御し、ポジランプ１５のウォームアップを行う。ＡＳＩＣ３１は、ポジランプ１５が点灯してそれの光量が安定したことを検出した（又は、ポジランプ１５の電源をターンオンしてから所定時間（例えば２０秒）が経過した）時点で、ウォームアップが完了したものとして後述の（Ｅ−２）ステップを行う。
【０１０３】
以上が、（Ｅ−１）ステップでの動作である。
【０１０４】
なお、この（Ｅ−１）ステップにおいて、光量の安定の検出は、所定の条件が満たされたときに行われる。具体的には、例えば、ネガランプ１７の光量の安定を検出する方法と同じ方法で行われる。
【０１０５】
この（Ｅ−１）ステップにおいて、ポジランプ１５の電源をターンオンしてから（つまりポジランプ１５が点灯してから）所定時間（例えば２０秒間）が経過した時点でも、上記５０個の画素センサの出力値の平均（又は少なくとも１つの画素センサの出力値）が５０／２５５以下の場合は、ＡＳＩＣ３１は、後述する（Ｉ）ステップ、例えば、ポジランプ１５に関するエラーをユーザに報知する。
【０１０６】
さて、次に（Ｅ−２）ステップの動作を説明する。
【０１０７】
（Ｅ−２）ステップ
ＡＳＩＣ３１は、透過用ホルダ１１Ｂに実際にセットされている原稿の種類に関わらず、ポジのための読取り処理を行う。
【０１０８】
具体的には、ＡＳＩＣ３１は、ポジランプ１５やリニアＣＣＤ１９のイニシャライズ、例えば、ＡＬＯＣ(Auto Lamp On Time Control)を行ってポジランプ１５の点灯時間（換言すれば、ポジランプ１５の電源をオン状態にし続ける時間）を決定する。次に、ＡＳＩＣ３１は、ポジランプ１５から透過用ホルダ１１Ｂの照射領域１２Ｂを介して光を受けたリニアＣＣＤ１９の出力値に基づいて、リニアＣＣＤ１９における所定の処理時間長を制御する（詳細は後述する）。その後、ＡＳＩＣ３１は、ホルダローディング機構を制御して透過用ホルダ１１Ｂをローディング方向に搬送すると共に、それに伴ってリニアＣＣＤ１９からＡＦＥ３５を介してデジタルデータを受信し、それを図示しないイメージメモリに蓄積する。これにより、透過用ホルダ１１Ｂの搬送が終了すると、そのホルダ１１Ｂにセットされている原稿の読取イメージデータがイメージメモリに存在し、そのイメージデータは、所定のタイミングで、前述した読取りイメージ出力部に出力される。
【０１０９】
以上が、（Ｅ−２）ステップである。
【０１１０】
ＡＳＩＣ３１は、ポジの読取り処理の間は、ポジランプ１５の電源のオン状態を維持して、ポジランプ１５を点灯し続ける。そして、ＡＳＩＣ３１は、ポジの読取り処理が完了したら、原稿ホルダ１１Ｂをホームポジションに戻すと共に、上述した（Ｄ−２）ステップを実行する（なお、ＡＳＩＣ３１は、（Ｄ−２）ステップを行う代わりに、ポジランプ１５を消灯しても良いし、或いは、少なくともポジランプ１５をデューティ点灯しても良い）。
【０１１１】
図１１は、反射原稿読取り時の動作遷移図である。この図を参照して、（Ｆ−１）ステップ等について説明する。
【０１１２】
（Ｆ−１）ステップ
ＡＳＩＣ３１は、電源制御回路３６を制御して、反射ランプ１３のみの電源をターンオンして反射ランプ１３のみを点灯させ、他のランプ１５、１７の電源はオフ状態にする。
【０１１３】
以上が、（Ｆ−１）ステップでの動作である。
【０１１４】
ＡＳＩＣ３１は、上述したローディングのときに、挿入された原稿ホルダ種類が反射用ホルダ１１Ａであることを識別したことにより、この（Ｆ−１）ステップを行ったならば、その後、反射ランプ１３のウォームアップ処理（後述する（Ｇ−１）ステップ）を行う。一方、それ以外の原因によって（Ｆ−１）ステップを行ったときは、ＡＳＩＣ３１は、この（Ｆ−１）ステップでの状態において、スキャナ１が反射読取りコマンドを受信したときも、反射ランプ１３のウォームアップ処理（後述する（Ｇ−１）ステップ）を行う。
【０１１５】
また、この状態において、挿入されている原稿ホルダ１１Ａがイジェクトされたときは（又はスキャナ１が原稿ホルダのイジェクト命令を受けたときは）、ＡＳＩＣ３１は、上述した（Ａ−１）ステップを行う（つまりデューティ点灯を行う）。
【０１１６】
また、ＡＳＩＣ３１は、反射ランプ１３の電源をターンオンしたときは、その時点からの経過時間をカウントし、所定イベント（例えば上記コマンドの受信）が検出されることなくその経過時間が所定時間（例えば２０秒間）を越えたならば、以下の（Ｆ−２）ステップを行う。
【０１１７】
（Ｆ−２）ステップ
ＡＳＩＣ３１は、電源制御回路３６を制御して、反射ランプ１３の点灯（つまり反射ランプ１３の電源のオン状態）を継続して待機する。
【０１１８】
以上が、（Ｆ−２）ステップでの動作である。
【０１１９】
なお、この状態において、スキャナ１が反射読取りコマンドを受信したときは、ＡＳＩＣ３１は、後述する（Ｇ−２）ステップを行う。
【０１２０】
また、この状態において、挿入されている原稿ホルダ１１Ａがイジェクトされたときは（又はスキャナ１が原稿ホルダのイジェクト命令を受けたときは）、ＡＳＩＣ３１は、上述した（Ａ−１）ステップを行う（つまりデューティ点灯を行う）。
【０１２１】
また、この待機状態になってから、所定のイベント（例えば操作パネル７）が検出されることなく所定時間（例えば１４分間）が経過したら、ＡＳＩＣ３１は、以下の（Ｆ−３）ステップを行う。
【０１２２】
（Ｆ−３）ステップ
ＡＳＩＣ３１は、電源制御回路３６を制御して、反射ランプ１３の電源をターンオフし反射ランプ１３を消灯させる。
【０１２３】
以上が、（Ｆ−３）ステップでの動作である。
【０１２４】
なお、このように反射ランプ１３の電源がオフ状態のときに、挿入されている原稿ホルダがイジェクトされたときは（又はスキャナ１が原稿ホルダのイジェクト命令を受けたときは）、ＡＳＩＣ３１は、上述した（Ａ−１）ステップを行う（つまりデューティ点灯を行う）。
【０１２５】
また、この状態において、スキャナ１が反射読取りコマンドを受信したときは、ＡＳＩＣ３１は、以下の（Ｇ−１）ステップを行う。
【０１２６】
（Ｇ−１）ステップ
この（Ｇ−１）ステップは、例えば、反射ランプ１３の電源がオフ状態からオン状態に切り替えられるときに行われる。
【０１２７】
ＡＳＩＣ３１は、電源制御回路３６を制御し、反射ランプ１３のウォームアップを行う。ＡＳＩＣ３１は、反射ランプ１３が点灯してそれの光量が安定したことを検出した（又は、反射ランプ１３の電源をターンオンしてから所定時間（例えば２０秒）が経過した）時点で、ウォームアップが完了したものとして後述の（Ｇ−２）ステップを行う。
【０１２８】
以上が、（Ｇ−１）ステップでの動作である。
【０１２９】
なお、この（Ｇ−１）ステップにおいて、光量の安定の検出は、所定の条件が満たされたときに行われる。具体的には、例えば、反射ランプ１３の光量の安定を検出する方法と同じ方法で行われる。
【０１３０】
この（Ｇ−１）ステップにおいて、反射ランプ１３の電源をターンオンしてから（つまり反射ランプ１３が点灯してから）所定時間（例えば２０秒間）が経過した時点でも、上記５０個の画素センサの出力値の平均（又は少なくとも１つの画素センサの出力値）が５０／２５５以下の場合は、ＡＳＩＣ３１は、後述する（Ｉ）ステップ、例えば、反射ランプ１３に関するエラーをユーザに報知する。
【０１３１】
さて、次に（Ｇ−２）ステップの動作を説明する。
【０１３２】
（Ｇ−２）ステップ
ＡＳＩＣ３１は、反射用ホルダ１１Ａに実際にセットされている原稿の種類に関わらず、反射原稿の読取り処理を行う。
【０１３３】
具体的には、ＡＳＩＣ３１は、反射ランプ１３やリニアＣＣＤ１９のイニシャライズ、例えば、ＡＬＯＣ(Auto Lamp On Time Control)を行って反射ランプ１３の点灯時間（換言すれば、反射ランプ１３の電源をオン状態にし続ける時間）を決定する。次に、ＡＳＩＣ３１は、反射ランプ１３から反射用ホルダ１１Ａの照射領域１２Ａ（例えば白基準シート）を反射した光を受けたリニアＣＣＤ１９の出力値に基づいて、ＡＦＥ３５のゲイン（信号電荷の増幅率）を制御する（詳細は後述する）。その後、ＡＳＩＣ３１は、ホルダローディング機構を制御して反射用ホルダ１１Ａをローディング方向に搬送すると共に、それに伴ってリニアＣＣＤ１９からＡＦＥ３５を介してデジタルデータを受信し、それを図示しないイメージメモリに蓄積する。これにより、反射用ホルダ１１Ａの搬送が終了すると、そのホルダ１１Ａにセットされている原稿の読取イメージデータがイメージメモリに存在し、そのイメージデータは、所定のタイミングで、前述した読取りイメージ出力部に出力される。
【０１３４】
以上が、（Ｇ−２）ステップである。
【０１３５】
ＡＳＩＣ３１は、反射原稿の読取り処理の間は、反射ランプ１３の電源のオン状態を維持して、反射ランプ１３を点灯し続ける。そして、ＡＳＩＣ３１は、反射原稿の読取り処理が完了したら、原稿ホルダ１１Ａをホームポジションに戻すと共に、上述した（Ｆ−２）ステップを実行する（なお、ＡＳＩＣ３１は、（Ｆ−２）ステップを行う代わりに、反射ランプ１３を消灯しても良いし、或いは、少なくとも反射ランプ１３をデューティ点灯しても良い）。
【０１３６】
（Ｉ）ステップ
ＡＳＩＣ３１は、所定のエラー、例えば、各ランプ１３、１５又は１７に関するエラーを検出したときは、それに関するエラーをＧＵＩに表示する等してユーザに報知する。また、ＡＳＩＣ３１は、所定のエラー（例えば、各ランプ１３、１５又は１７に関するエラー）が検出されたときは、全てのランプ１３、１５及び１７の電源をターンオフして、全てのランプ１３、１５及び１７を消灯する。
【０１３７】
以上が、（Ｉ）ステップについてである。
【０１３８】
なお、この状態において、スキャナ１本体の電源の再投入や、ユーザがＧＵＩを操作する等して所定のリセットコマンド（換言すれば初期化コマンド）をスキャナ１が受けたときは、ＡＳＩＣ３１は、上述した（Ａ−１）ステップ、つまりデューティ点灯を行う。なお、スキャナ１がリセットコマンドを受信したとき、ＡＳＩＣ３１は、原稿ホルダが挿入されているときは、それを排出させても良い。
【０１３９】
さて、上述した処理流れを整理すると、例えば以下のことが言える。
【０１４０】
（１）所定のとき（例えば、スキャナ１本体の電源が投入されたとき、原稿ホルダがイジェクトされたとき、リセットコマンドを受信したとき）から、原稿ホルダ１１Ａ又は１１Ｂが挿入されてローディングが開始されるときまでの間、ＡＳＩＣ３１は、図６に示したようなデューティ点灯制御を行う。
【０１４１】
（２）挿入された原稿ホルダのローディングを開始する時、ＡＳＩＣ３１は、そのデューティ点灯を止めて、全てのランプ１３、１５及び１７の電源をオフ状態にする。
【０１４２】
（３）ＡＳＩＣ３１は、ローディングの最中に、挿入された原稿ホルダが透過用ホルダ１１Ｂであることを識別したときは、ローディングを終了したときに、図８に示したように、ネガランプ１７のみの電源をターンオンする。一方、そのローディングの最中に、挿入された原稿ホルダが反射用ホルダ１１Ａであることを識別したときは、ＡＳＩＣ３１は、図１２に示すように、反射ランプ１３のみの電源をターンオンする。
【０１４３】
（４）図６に示したデューティ点灯から、特定のランプ１３、１５又は１７のみの点灯に切り替わる契機としては、例えば、ＧＵＩから読取り対象の原稿種類が選択されたときと、原稿ホルダ１１がスキャナ１に挿入されたときとがある。逆に、特定のランプ１３、１５又は１７のみの制御からデューティ点灯への切り替わりの契機としては、例えば、挿入されている原稿ホルダ１１がスキャナ１から排出されたと判断されたときがある。
【０１４４】
（５）ＧＵＩ等を用いて透過原稿の種類（例えばネガかポジか）が選択されず、透過用ホルダ１１Ｂが先にスキャナ１に挿入された場合は、ＡＳＩＣ３１は、ネガランプ１７を点灯させる。一方、先にＧＵＩの操作等により透過原稿の種類が選択され、後から透過用ホルダ１１Ｂが挿入された場合は、ＡＳＩＣ３１は、どのランプを点灯するかは、選択された透過原稿の種類にマッチした種類のランプ（つまりポジランプ１５又はネガランプ１７）を点灯する。
【０１４５】
（６）ＡＳＩＣ３１は、読取り処理終了後も、原稿ホルダ１１がスキャナ１に挿入されている限り、制御対象ランプを切り替えない（例えば、反射原稿の読取り処理終了後、反射用ホルダ１１Ａがイジェクトされないときは、制御対象ランプは反射ランプ１３のみである）。ただし、透過原稿に限って、ＧＵＩの操作等により読取り対象原稿の種類の変更（すなわち、ネガとポジの交換）が行われた場合は、ＡＳＩＣ３１は、制御対象ランプを切り替える（例えば、ポジランプ１５を消灯してネガランプ１７を点灯するか、或いは、ネガランプ１７を消灯してポジランプ１５を点灯する）。
【０１４６】
（７）透過原稿用のランプ１５又は１７（或いは反射ランプ１３）が点灯している場合、ＡＳＩＣ３１は、その状態から別の種類のランプである反射ランプ１３（或いは透過原稿用のランプ１５又は１７）への点灯の切り替えは行わない。反射ランプ１３と透過ランプ１５又は１７の切り替えは、前述したように、挿入されている原稿ホルダ１１Ａ又は１１Ｂの排出を伴うので、必ずデューティ点灯を経てからランプの切り替えが行われる。
【０１４７】
（８）スキャナ１がリセットコマンドを受信した時に原稿ホルダが排出されたならば、ＡＳＩＣ３１は、（Ａ−１）ステップのデューティ点灯を行う。
【０１４８】
（９）ランプ１３、１５又は１７のイニシャライズは、原稿ホルダ１１Ａ、１１Ｂの種類が識別され、且つ、その原稿ホルダがホームポジション（例えば、照射領域１２Ａ又は１２Ｂからの反射光又は透過光をリニアＣＣＤ１９が受光できる位置）に固定されてから開始される。
【０１４９】
なお、上述した処理流れについて、種々の変形例が考えられる。
【０１５０】
例えば、ＡＳＩＣ３１は、ローディング中に透過用ホルダ１１Ｂを識別した場合、ローディングが終了したら、ネガランプ１７のみをターンオンする代わりに、ネガランプ１７のみをデューティ点灯させても良いし、或いは、ネガランプ１７とポジランプ１５のみをデューティ点灯させても良い。
【０１５１】
また、ランプ１３、１５及び１７のデューティ点灯は、図６に示したような態様に限らず、例えば、２以上のランプの通電時間の一部又は全部が重なり合っても良いし、全てのランプ１３、１５及び１７の通電時間が同じでなくても良いし、デューティの１サイクルは約１秒に限らず所定の時間長であっても良い。さらに、例えば、３つのランプ１３、１５及び１７のデューティ比が全て同じでなくても良く、一例として、光量が安定するまでに最も時間がかかるランプ（例えばネガランプ１７）のデューティを最も大きくしても良い（つまり１サイクルにおける通電時間が最も長くなっても良い）。また、例えば、ポジランプ１５又はネガランプ１９からオン状態が開始されても良い。また、例えば、光量が安定するまでに最も長い時間がかかる（つまりウォーミングアップを開始してから終了するまでに最も長い時間がかかる）ランプからオン状態をスタートしても良い。
【０１５２】
また、例えば、ＡＳＩＣ３１は、デューティ点灯を行っているときにローディングを開始する場合、必ずしも全てのランプ１３、１５及び１７を消灯させなくても良く、一例として、少なくとも１つのランプのデューティ点灯を行っても良いし、或いは、少なくとも１つのランプを点灯し続けても良い。
【０１５３】
また、例えば、読取り対象の透過原稿の種類をユーザが入力する代わりに、透過用ホルダ１１Ｂにセットされている透過原稿の種類がポジであるかネガであるかまでをも自動的に識別することができるようにしても良い。具体的には、例えば、透過用ホルダ１１Ｂには、ポジ用の透過用ホルダとネガ用の透過用ホルダとがあって、反射用ホルダ１１Ａと透過用ホルダ１１Ｂとを識別する方法と略同様の方法で、ポジ用の透過用ホルダとネガ用の透過用ホルダとをＡＳＩＣ３１が自動で識別することができるようにしても良い。或いは、例えば、ポジランプ１５又はネガランプ１７から透過原稿を介して光を受けたリニアＣＣＤ１９の出力値に基づいて、ＡＳＩＣ３１が、その透過原稿がポジであるかネガであるかを判別しても良い。更に、例えば、透過原稿がポジ（又はネガ）であると判別されたにも関わらず、ネガ（又はポジ）の読取り処理が命令されたときは、ＡＳＩＣ３１が、その読取り処理にマッチした原稿をセットすることの命令或いはエラー等をＧＵＩを介してユーザに伝えても良い。
【０１５４】
ところで、反射原稿、ポジ及びネガの各々の読取り処理では、原稿ホルダにセットされている原稿の読取りが実際に行われる前に、ＡＳＩＣ３１が、そのホルダの照射領域１２Ａ又は１２Ｂから光を受けたリニアＣＣＤ１９から出力された信号値に基づいて、ＡＦＥ３５の属性（例えばゲイン）、又はリニアＣＣＤ１９の動作を制御する。以下、反射原稿、ポジ及びネガの各々の読取り処理で行われる上記制御について具体的に説明する。
【０１５５】
（１）反射原稿の読取り処理
反射原稿の読取り処理（上述した（Ｇ−２）ステップ）が始まったとき、図１３に示すように、反射ランプ１３が発し、反射用ホルダ１１Ａの照射領域１２Ａ（例えば白基準シート）に反射された光を、リニアＣＣＤ１９が受けて、リニアＣＣＤ１９が、その光の光量に応じた信号電荷を出力する。そして、その信号電荷は、ＡＦＥ３５によって所定の処理（例えば増幅及びアナログ／デジタル変換）が施され、それにより、ＡＦＥ３５からデジタルデータ（リニアＣＣＤ１９に配置されている各画素センサの出力値）がＡＳＩＣ３１に入力される。ＡＳＩＣ３１は、そのデジタルデータを所定の場所（例えば図示しないＲＡＭ）に出力すると共に、その出力されたデジタルデータの値が所定の範囲内に入るように、ＡＦＥ３５のゲインを調節する（例えば６４段階のうちの適切な段階に調節する）。なお、その「所定の範囲」とは、例えば、Ｘ１／２５５以上Ｘ２／２５５以下であり、より具体的には、例えば、Ｘ１＝２１０、Ｘ２＝２３５である。
【０１５６】
このようにして、ＡＦＥ３５のゲインを調節した後、反射用ホルダ１１Ａにセットされている反射原稿の読取りが開始される。なお、その際、図１４に示すように、リニアＣＣＤ１９の１ライン毎の読取り時間長ＴＳＨ（直前回の１ラインの電荷転送時間長と、今回の電荷蓄積時間長とを含んだ時間長、以下、「ライン読取り時間長」と言う）は、予め定められている時間長（例えば約８．３ミリ秒間）であり、変動することはない。換言すれば、ＡＳＩＣ３１のクロックジェネレータ３４が発するシフトパルス４１の出力周期は、予め定められた周期であって変動することがない。このため、後述するように、反射原稿読取りの速度は、ライン読取り時間長が制御される透過原稿読取りの速度に比べて早くなることが多いと考えられる。
【０１５７】
（２）ポジの読取り処理
ポジの読取り処理（上述した（Ｅ−２）ステップ）が始まったとき、図１５に示すように、ポジランプ１５が発し、透過用ホルダ１１Ｂの照射領域１２Ｂ（例えば透過窓）を透過した光を、リニアＣＣＤ１９が受けて、リニアＣＣＤ１９が、その光の光量に応じた信号電荷を出力する。そして、その信号電荷は、ＡＦＥ３５によってデジタルデータに変換されて、ＡＳＩＣ３１に入力される。ＡＳＩＣ３１は、そのデジタルデータを所定の場所（例えば図示しないＲＡＭ）に出力すると共に、その出力されたデジタルデータの値が所定の範囲内（例えば、Ｘ１／２５５以上Ｘ２／２５５以下であり、より具体的には、例えば、Ｘ１＝２１０、Ｘ２＝２３５）に入るように、リニアＣＣＤ１９のライン読取り時間長を調節する。具体的には、ＡＳＩＣ３１は、その出力されたデジタルデータの値が、上記所定の範囲内に入るように、図１６に示すように、ライン読取り時間長（すなわち、クロックジェネレータ３４が発するメインシフトパルス５１の出力周期）ＴＳＨや、直前回の１ラインの電荷転送時間長（すなわち、メインシフトパルス５１を出力してからサブシフトパルス５３を出力するまでの時間）ＴＡを制御する。換言すれば、ＡＳＩＣ３１は、ＡＳＩＣ３１から出力されたデジタルデータの値が、上記所定の範囲内に入るように、その電荷転送時間長ＴＡと、今回の電荷蓄積時間長（すなわち、サブシフトパルス５３を出力してからメインシフトパルス５１を出力するまでの時間）ＴＢとを制御する。
【０１５８】
以上の処理は、リニアＣＣＤ１９のＲＧＢの各々について行われる。
【０１５９】
このようにして、リニアＣＣＤのライン読取り時間長ＴＳＨ等が調節された後（例えばその時間長ＴＳＨが約８．３ミリ秒に設定された後）、透過用ホルダ１１Ｂにセットされている原稿についてポジの読取りが開始される。
【０１６０】
なお、ポジの読取り処理において、ＡＳＩＣ３１は、ＲＧＢについての電荷蓄積時間長ＴＢを同じ時間長にするが、この場合、リニアＣＣＤ１９から出力される上記透過光に応じた出力値が、完全には、ＲＧＢ＝１：１：１の光を受けたときの出力値にならない場合が有り得る。その場合は、ＡＳＩＣ３１は、反射原稿の読取り処理のように、ＡＦＥ３５のゲインを調節することによって、受信するデジタルデータの値（つまり各画素の値）を調節し、それにより、所望のＲＧＢ比率（ここでは１：１：１）の光を受けたときの出力値により近い出力値を得るようにしても良い。
【０１６１】
（３）ネガの読取り処理
ネガの読取り処理（上述した（Ｃ−２）ステップ）が始まったとき、図１７に示すように、ネガランプ１７が発し、透過用ホルダ１１Ｂの照射領域１２Ｂ（例えば透過窓）を透過した光を、リニアＣＣＤ１９が受けて、リニアＣＣＤ１９が、その光の光量に応じた信号電荷を出力する。そして、その信号電荷は、ＡＦＥ３５によってデジタルデータに変換されて、ＡＳＩＣ３１に入力される。ＡＳＩＣ３１は、そのデジタルデータを所定の場所（例えば図示しないＲＡＭ）に出力すると共に、その出力されたデジタルデータの値が所定の範囲内（例えば、Ｘ１／２５５以上Ｘ２／２５５以下であり、より具体的には、例えば、Ｘ１＝２１０、Ｘ２＝２３５）に入るように、リニアＣＣＤ１９のライン読取り時間長を調節する。具体的には、以下のように調節される。
【０１６２】
すなわち、まず、ＡＳＩＣ３５から出力されたデジタルデータの値が上記所定の範囲内に入るような電荷が、リニアＣＣＤ１９のＲＧＢ全ての画素センサに蓄積されるようにするため、図１８（Ａ）に示すように、ＡＳＩＣ３１は、ネガランプ１７が発する光のＲＧＢ成分比率に応じて、リニアＣＣＤ１９のＲＧＢにおける今回の電荷蓄積時間長（すなわち、サブシフトパルス６３が出力されてからメインシフトパルス６１が出力されるまでの間の時間長）をばらつかせる。より具体的には、例えば、ネガランプ１７が発する光のＲＧＢ成分比率が、Ｒ：Ｇ：Ｂ＝１：２：３になっている場合、ＲＧＢ全ての画素センサに同じ電荷が蓄積されるようにするために、図１８（Ａ）に示すように、ＲＧＢにおけるターゲットラインの電荷蓄積時間長は、光のＲＧＢ成分比率の逆数比、すなわち、３：２：１になる。ここで、最も大きい比率となっている（つまり最も光量が小さい）色成分（Ｒ）の光についての電荷蓄積時間長は、前述したように、ＡＳＩＣ３１から出力されたデジタルデータの値が所定の範囲内に入るような時間長に調節される。
【０１６３】
次に、ＡＳＩＣ３１は、図１８（Ｂ）に示すように、ネガランプ１７が発する光の成分のうちＧ及びＢの電荷蓄積時間長を、その光の成分のうち一番光量が小さいＲの電荷蓄積時間長に合わせる。これにより、ＡＳＩＣ３５から出力されたデジタルデータの値（ホルダ１１Ｂの照射領域１２Ｂを透過したときの値）が上記所定の範囲内に入るようになったと共に、ネガランプ１７を使用したネガの読取り処理においてリニアＣＣＤ１９から出力される画素データの値は、ネガランプ１７の光のＲＧＢ成分比率が反映された値となる。
【０１６４】
このようにして、リニアＣＣＤのライン読取り時間長ＴＳＨ等が調節された後、透過用ホルダ１１Ｂにセットされている原稿についてネガの読取りが開始される。
【０１６５】
なお、ネガの読取り処理において、ＡＳＩＣ３１は、ＲＧＢについての電荷蓄積時間長を、ネガランプ１７が発する光のＲＧＢ成分比率の逆数比にするが、この場合、リニアＣＣＤ１９から出力される上記透過光に応じた出力値が、完全には、ＲＧＢ＝１：２：３の光を受けたときの出力値にならない場合が有り得る。その場合は、ＡＳＩＣ３１は、反射原稿の読取り処理のように、ＡＦＥ３５のゲインを調節することによって、受信するデジタルデータの値（つまり各画素の値）を調節し、それにより、所望のＲＧＢ比率（ここでは１：２：３）の光を受けたときの出力値により近い出力値を得るようにしても良い。
【０１６６】
以上が、ネガの読取り処理においてＡＳＩＣ３１がリニアＣＣＤ１９に対して行う制御についである。なお、上記説明（特に図１８（Ａ））によれば、直前回の１ラインの電荷転送時間長は、Ｒ成分よりもＧ成分及びＢ成分が長くなるが、Ｇ成分及びＢ成分についての信号電荷の転送では、実際は、時刻ｔ１〜ｔ２の間で行われ、時刻ｔ２〜ｔ３及び時刻ｔ２〜ｔ４はスキップされる（特段何の処理も行われていない状態となる）。また、ＡＳＩＣ３１は、例えば、図１８（Ａ）において、ライン読取り時間長は、ポジのときと同じ時間長（例えば約８．３ミリ秒）にするように制御する。
【０１６７】
さて、上述の説明によれば、写真フィルム等の透過原稿では、ＡＦＥ３５のゲインが調節される代わりに、リニアＣＣＤ１９が制御される。これは、以下の理由による。
【０１６８】
すなわち、反射原稿の読み取りの場合は、高い画質よりも速い読取り速度の方が求められることが多いと考えられる。その場合は、リニアＣＣＤ１９のライン読取り時間長を調節するよりも、ライン読取り時間長は一定でＡＦＥ３５の属性（例えばゲイン）を調節することの方が好ましい。画質を大きく劣化させることなく読取り速度を速くすることができるからである。
【０１６９】
しかし、透過原稿の読み取りの場合、読取り速度が速いことよりも、高画質の読取りイメージデータが求められることが多いと考えられるので、読取り速度よりも読取イメージデータの画質を優先することが望ましい。その場合に、反射原稿の場合と同様にＡＦＥ３５のゲインを上げると、ノイズが大きくなって、画質が向上せず却って劣化する場合がある。そのため、透過原稿の読取り処理では、ＡＦＥ３５のゲインを一定にして、リニアＣＣＤ１９のライン読取り時間長を調節する。これにより、読取り速度は反射原稿の読取り速度よりも劣るが、反射原稿の読取り処理に比べて高画質の読取りイメージデータを得ることができる。
【０１７０】
以上、上述した実施例によれば、スキャナ１には、３種類の原稿にそれぞれ対応した３つのランプ１３、１５及び１７が搭載され、原稿の読取り処理の際には、その原稿の種類に対応したランプ１３、１５又は１７が使用される。具体的には、スキャナ１には、反射原稿に対しては反射ランプ１３が搭載され、且つ、透過原稿用のランプとして、ポジランプ１５とネガランプ１７とが搭載され、ポジの読取りの時にはポジランプ１５が使用され、ネガの読取りの時にはネガランプ１７が使用される。そして、各ランプ１３、１５及び１７が発する光のＲＧＢ成分の比率が、そのランプに対応した種類の原稿を読取るのに適した比率になっている。このため、反射原稿、ポジ及びネガのどれを読取っても、良質な原稿イメージデータを得ることができる。
【０１７１】
また、上述した実施例によれば、ＲＧＢ各成分比率が不均等である光を照射された方が、それが均等である光を照射された場合に比べて、良質な読取りイメージデータが得られるようになっている特殊原稿（例えばネガフィルム）があるが、その特殊原稿の読取りに使用されるランプは、ＲＧＢ各成分比率が均等でなく、且つ、その特殊原稿の読取りに適したＲＧＢ成分比率の光を発するようになっている。そして、リニアＣＣＤ１９のＲＧＢ各色成分の電荷蓄積時間長の比率は、そのＲＧＢ成分比率に基づいて設定される。具体的には、リニアＣＣＤ１９のＲＧＢ各色成分の電荷蓄積時間長は、一旦、上記ＲＧＢ成分比率の逆数比とされ、その後で、一番光量の小さい色成分の電荷蓄積時間長に、他の色成分の電荷蓄積時間長が揃えられる。より具体的には、例えば、ネガランプ１７の発する光のＲＧＢ成分比率は、均等ではなく、且つ、既にネガの読取りに適した比率「Ｒ：Ｇ：Ｂ＝１：２：３」になっており、リニアＣＣＤ１９のＲＧＢ各色成分の電荷蓄積時間長の比率は、一旦、「Ｒ：Ｇ：Ｂ＝３：２：１」にされ。その後、一番光量の小さい色成分（Ｒ）の電荷蓄積時間長に、他の色成分（Ｇ及びＢ）の電荷蓄積時間長が揃えられる。このため、ネガに照射される光のＲＧＢ成分比率が均等である場合に比べて、短時間で高画質の読取りイメージデータを得ることが図れる。すなわち、ネガランプ１７の発する光のＲＧＢ成分比率が均等である場合、例えば、「Ｒ：Ｇ：Ｂ＝１：２：３」の光量が反映されたＣＣＤ出力値を得るためには、Ｒの電荷蓄積時間長を基準とすると、ＧはＲの２倍、ＢはＲ３倍の電荷蓄積時間長が必要となり、それ故、読取りに要する時間が長くなり得るが、本実施例では、上述した処理を行うことにより、ネガランプ１７の発する光のＲＧＢ成分比率が均等である場合よりも読取りに要する時間を短縮することが図れる。
【０１７２】
また、上述した実施例によれば、スキャナ１の電源が投入される等の所定の時点から、原則として少なくとも原稿ホルダのローディングが開始されるまでの間、全てのランプ１３、１５及び１７がデューティ点灯される。これにより、実際に読取り処理を開始するためのランプ１３、１５及び１７のウォームアップ時間をそれぞれ短縮することができ、且つ、電力の消費量も抑えることができる。
【０１７３】
以上、本発明の好適な実施例を説明したが、これは本発明の説明のための例示であって、本発明の範囲をこの実施例にのみ限定する趣旨ではない。本発明は、他の種々の形態でも実施することが可能である。例えば、本発明は、原稿ホルダ挿入タイプスキャナに限らず、他の種類のイメージ読取り装置、一例として、フラットベッドタイプのスキャナ、複写装置等にも適用することができる。また、例えば、必ずしも、スキャナ１の内部に、上述した３つのランプ１３、１５及び１７の全てが搭載されていなくても良く、一例として、ポジランプ１３及びネガランプ１７の少なくとも１つを搭載したカートリッジをスキャナ１に取り付けることで、そのカートリッジに搭載されているランプとスキャナ１とが電気的に接続されるようになっていても良い。また、ＡＳＩＣ３１は、上記構成に限らない（例えば、ＣＰＵやメモリはＡＳＩＣから離れた別の場所にあっても良い）。また、上記実施例でＡＳＩＣ３１の処理として説明した処理は、ソフトウェア、或いはソフトウェアとハードウェアの組合せなど他の方法により行われても良い。
【図面の簡単な説明】
【０１７４】
【図１】本発明の一実施例に係る原稿ホルダ挿入タイプスキャナの概観を示す。
【図２】スキャナ１において行われるイメージ読取りの様子を示す。
【図３】反射用ホルダ１１Ａと、透過用ホルダ１１Ｂとを示す。
【図４】スキャナ１内部の構成を示すブロック図。
【図５】スキャナ１の電源が投入された時のＡＳＩＣ３１の動作フローを示す。
【図６】ランプ１３、１５及び１７をデューティ点灯しているときのランプ１３、１５及び１７の電源状態を示す。
【図７】ネガフィルム読取り時の動作遷移図
【図８】原稿ホルダが透過用ホルダ１１Ｂであることが識別されてローディングが終了したときのランプ１３、１５及び１７の電源状態を示す。
【図９】光量の安定の検出方法を説明するための図。
【図１０】ポジフィルム読取り時の動作遷移図。
【図１１】反射原稿読取り時の動作遷移図。
【図１２】原稿ホルダが反射用ホルダ１１Ａであることが識別されてローディングが終了したときのランプ１３、１５及び１７の電源状態を示す。
【図１３】反射原稿の読取り処理のときにＡＦＥ３５のゲインが調節されることを示す図。
【図１４】反射原稿の読取り処理のときの、リニアＣＣＤ１９の１ライン毎の読取り時間長ＴＳＨを表す図。
【図１５】ポジの読取り処理のときにリニアＣＣＤ１９が制御されることを示す図。
【図１６】ポジの読取り処理のときに行われる制御であって、リニアＣＣＤ１９の読取り時間長ＴＳＨの制御を説明するための図。
【図１７】ネガの読取り処理のときにリニアＣＣＤ１９が制御されることを示す図。
【図１８】ネガの読取り処理のときに行われる制御であって、リニアＣＣＤ１９のＲＧＢ各色の電荷蓄積時間長の制御の様子を示す図。
【符号の説明】
【０１７５】
１  原稿ホルダ挿入タイプスキャナ
１１  原稿ホルダ
１１Ａ  反射用ホルダ
１１Ｂ  透過用ホルダ
１３  反射ランプ
１５  ポジランプ
１７  ネガランプ
１９  リニアＣＣＤ
３１  ＡＳＩＣ
３５  ＡＦＥ
３６  電源制御回路
【図１】
2005086269.tif 000003
【図２】
2005086269.tif 000004
【図３】
2005086269.tif 000005
【図４】
2005086269.tif 000006
【図５】
2005086269.tif 000007
【図６】
2005086269.tif 000008
【図７】
2005086269.tif 000009
【図８】
2005086269.tif 000010
【図９】
2005086269.tif 000011
【図１０】
2005086269.tif 000012
【図１１】
2005086269.tif 000013
【図１２】
2005086269.tif 000014
【図１３】
2005086269.tif 000015
【図１４】
2005086269.tif 000016
【図１５】
2005086269.tif 000017
【図１６】
2005086269.tif 000018
【図１７】
2005086269.tif 000019
【図１８】
2005086269.tif 000020